(57)【特許請求の範囲】
【請求項１】
一対の身頃素材同士を連結部により連結して成る衣服素材に設けられ、前記連結部に対して両側から前記一対の身頃素材同士を引き寄せることにより前記一対の身頃素材間の間隔を調整するウエアサイズ調整機構であって、
前記連結部に止着される巻き取り器と、
前記巻き取り器に巻き取られる長尺部材と、
前記巻き取り器の一方側で前記巻き取り器から所定の距離を隔てて前記身頃素材の一方に止着されるとともに、前記巻き取り器との間で前記長尺部材が掛け回されるように前記長尺部材を保持することにより、前記巻き取り器により巻き取られる前記長尺部材の牽引作用によって前記一方側から前記巻き取り器へ向けて引き寄せられる前記衣服素材の第１の伸縮領域を規定する第１の保持部と、
前記巻き取り器の他方側で前記巻き取り器から所定の距離を隔てて前記身頃素材の他方に止着されるとともに、前記第１の保持部に掛け回されて前記第１の伸縮領域から前記他方側へ延びる長尺部材を保持することにより、前記巻き取り器により巻き取られる前記長尺部材の牽引作用によって前記他方側から前記巻き取り器へ向けて引き寄せられる前記衣服素材の第２の伸縮領域を規定する第２の保持部と、
備え、
前記第２の伸縮領域は、前記長尺部材が前記第２の保持部と前記巻き取り器との間で掛け回されない領域として、前記連結部と前記身頃素材の他方とに振り分けて配置される前記巻き取り器と前記第２の保持部との間に設けられ、
前記連結部には、前記第１の保持部と前記第２の保持部との間で前記長尺部材を前記第１の方向と略平行に案内するガイド部材が止着されることを特徴とするウエアサイズ調整機構。
【請求項２】
前記第１の保持部は、前記巻き取り器に対する前記第１の保持部の離間方向に対して略直交する方向に沿う前記巻き取り器の一方側で前記長尺部材を前記巻き取り器との間で掛け回す第１の掛け回し領域を前記第１の伸縮領域内に規定する第１の保持部材と、前記巻き取り器に対する前記第１の保持部の離間方向に対して略直交する方向に沿う前記巻き取り器の他方側で前記長尺部材を前記巻き取り器との間で掛け回す第２の掛け回し領域を前記第１の伸縮領域内に規定する第２の保持部材とを有することを特徴とする請求項１に記載のウエアサイズ調整機構。
【請求項３】
前記巻き取り器は、前記第１の掛け回し領域に位置する前記長尺部材と前記第２の掛け回し領域に位置する前記長尺部材とを同時に巻き取ることを特徴とする請求項２に記載のウエアサイズ調整機構。
【請求項４】
前記第２の保持部は、前記第１の保持部材に掛け回されて前記第１の掛け回し領域から前記第２の伸縮領域へ延びる長尺部材を固定する第１の固定部材と、前記第２の保持部材に掛け回されて前記第２の掛け回し領域から前記第２の伸縮領域へ延びる長尺部材を固定する第２の固定部材とを有することを特徴とする請求項２又は請求項３に記載のウエアサイズ調整機構。
【請求項５】
前記長尺部材は、その両端が前記巻き取り器に取り付けられて前記第１及び第２の保持部により保持されることによって前記第１及び第２の伸縮領域にわたってループ状に延びる１本のワイヤにより形成されることを特徴とする請求項１から３のいずれか一項に記載のウエアサイズ調整機構。
【請求項６】
請求項１から５のいずれか一項に記載のウエアサイズ調整機構を備えることを特徴とする衣服。
【発明の詳細な説明】
【技術分野】
【０００１】
本発明は、衣服のサイズを調整きるウエアサイズ調整機構、及び、該調整機構を備える衣服に関する。
【背景技術】
【０００２】
周知のように、衣服は、そのサイズを調整できる調整機構を備えている場合がある。そのような調整機構としては、例えば、ズボンのウエストサイズを調整できるものや、上着の幅や丈の寸法を調整できるものなど、様々な用途で様々な種類のものが存在する。
【０００３】
例えば、海や川などの水辺で使用されるフローティングベストにおいても、そのサイズ調整を可能にする調整機構を備えるものがある。そのような調整機構は、例えば特許文献１に開示されるように、フローティングベストの前身頃と後身頃とを連結する連結部に配設されて前身頃と後身頃との間の間隔を調整する。具体的には、前記調整機構は、前身頃側及び後身頃側にそれぞれ止着されるフック部材と、前身頃側のフック部材と後身頃側のフック部材とに交差して掛け渡される調整紐と、フック部材に掛け渡される調整紐の締め付け状態を調整可能な緊締部材とを有し、緊締部材を介して調整紐を締め付ける或いは緩めることによって前身頃と後身頃との間の間隔を調整するようになっている。
【先行技術文献】
【特許文献】
【０００４】
【特許文献１】特開２０１３−１９９７２０号
【発明の概要】
【発明が解決しようとする課題】
【０００５】
ところで、このような調整機構は、例えば着心地を良くするため或いは見栄えを良くするために、限られた衣服のスペース内に可能な限りコンパクトに配設されることが必要であるととともに、少ない調整操作で効率的に幅広く調整できることが望ましい。
【０００６】
しかしながら、特許文献１に開示されるように、調整紐が複数のフック部材に掛け回されて交差ループ状に延びていると、理論的には、フック部材のそれぞれの掛け回しポイントでは、動滑車の原理により、緊締部材が引き寄せる調整紐の引き寄せ（締め付け）長さがフック部材の両側に二分されるため、フック部材が止着される対応する前身頃又は後身頃の引き寄せ量が緊締部材による調整紐の引き寄せ長さの半分にしかならない。
【０００７】
また、前身頃と後身頃との連結部に巻き取り器を止着し、前身頃側又は後身頃側に止着された複数のガイド部材と巻き取り器との間で調整ワイヤをループ状に掛け渡すとともに、調整ワイヤの両端を巻き取り器に取り付け固定して成る調整機構も知られているが、この場合も同様に、巻き取り器の回転操作により調整ワイヤの両側を同時に巻き取って調整操作を行なうと、ガイド部材のそれぞれの掛け回しポイントでは、動滑車の原理により、巻き取り器が巻き取る調整ワイヤの巻き取り長さがガイド部材の両側に二分されるため、ガイド部材が止着される対応する前身頃又は後身頃の引き寄せ量が巻き取り器による調整ワイヤの巻き取り長さの半分にしかならない。
【０００８】
本発明は、上記した問題に着目してなされたものであり、衣服のサイズを少ない調整操作で効率的に幅広く調整できるウエアサイズ調整機構及び該調整機構を備える衣服を提供することを目的とする。
【課題を解決するための手段】
【０００９】
上記した目的を達成するために、本発明は、一対の身頃素材同士を連結部により連結して成る衣服素材に設けられ、前記連結部に対して両側から前記一対の身頃素材同士を引き寄せることにより前記一対の身頃素材間の間隔を調整するウエアサイズ調整機構であって、前記連結部に止着される巻き取り器と、前記巻き取り器に巻き取られる長尺部材と、前記巻き取り器の一方側で前記巻き取り器から所定の距離を隔てて前記身頃素材の一方に止着されるとともに、前記巻き取り器との間で前記長尺部材が掛け回されるように前記長尺部材を保持することにより、前記巻き取り器により巻き取られる前記長尺部材の牽引作用によって前記一方側から前記巻き取り器へ向けて引き寄せられる前記衣服素材の第１の伸縮領域を規定する第１の保持部と、前記巻き取り器の他方側で前記巻き取り器から所定の距離を隔てて前記身頃素材の他方に止着されるとともに、前記第１の保持部に掛け回されて前記第１の伸縮領域から前記他方側へ延びる長尺部材を保持することにより、前記巻き取り器により巻き取られる前記長尺部材の牽引作用によって前記他方側から前記巻き取り器へ向けて引き寄せられる前記衣服素材の第２の伸縮領域を規定する第２の保持部と備え、前記第２の伸縮領域は、前記長尺部材が前記第２の保持部と前記巻き取り器との間で掛け回されない領域として、前記連結部と前記身頃素材の他方とに振り分けて配置される前記巻き取り器と前記第２の保持部との間に設けられ、前記連結部には、前記第１の保持部と前記第２の保持部との間で前記長尺部材を前記第１の方向と略平行に案内するガイド部材が止着されることを特徴とする。
【００１０】
上記構成によれば、長尺部材が第１の保持部と巻き取り器との間で掛け回される第１の伸縮領域が巻き取り器の一方側に規定されるとともに、第１の保持部に掛け回されて第１の伸縮領域から延びる長尺部材が保持される第２の伸縮領域が巻き取り器の他方側に規定されるため、巻き取り器により巻き取られる長尺部材の牽引作用によって衣服素材を確実に伸縮させることができるとともに、巻き取り器の１回の操作で巻き取り器の両側の第１および第２の伸縮領域の衣服素材を同時に引き寄せることができ、大きなサイズ調整幅を確保できる。
【００１１】
また、上記構成では、長尺部材が第２の保持部と巻き取り器との間で掛け回されない第２の伸縮領域が規定されるため、この第２の伸縮領域では、前述したような動滑車の原理による掛け回しポイント両側での牽引長さの二分が生じず、したがって、第２の伸縮領域では、理論的に、衣服素材の引き寄せ量を第１の伸縮領域の倍にすることができ、その結果、調整機構全体として少ない調整操作で効率的に幅広く衣服サイズを調整できる。また、このように衣服のサイズを少ない調整操作で効率的に幅広く調整できれば、ウエアサイズ調整機構を限られた衣服のスペース内に可能な限りコンパクトに配設できる。  
なお、本発明は、前記ウエアサイズ調整機構を備える衣服も提供する。
【発明の効果】
【００１２】
本発明によれば、衣服のサイズを少ない調整操作で効率的に幅広く調整できるウエアサイズ調整機構及び該調整機構を備える衣服が得られる。
【図面の簡単な説明】
【００１３】
【図１】本発明のウエアサイズ調整機構が設けられる衣服の一例としてのフローティングベストの正面図である。
【図２】図１のフローティングベストの連結部領域の拡大図である。
【図３】本発明の第１の実施形態に係るウエアサイズ調整機構の概略構成図である。
【図４】図３のウエアサイズ調整機構の作動原理と従来の調整機構の作動原理とを比較して示す模式図である。
【図５】本発明の第２の実施形態に係るウエアサイズ調整機構の概略構成図である。
【図６】本発明の第３の実施形態に係るウエアサイズ調整機構の概略構成図である。
【図７】本発明の第４の実施形態に係るウエアサイズ調整機構の概略構成図である。
【図８】本発明の第５の実施形態に係るウエアサイズ調整機構の概略構成図である。
【発明を実施するための形態】
【００１４】
以下、本発明に係るウエアサイズ調整機構の実施形態について、添付図面を参照しながら具体的に説明する。  
図１は、本発明のウエアサイズ調整機構が設けられる衣服の一例としてのフローティングベストを示す。図示のように、フローティングベスト１を構成する本体１Ａは、例えば、ナイロン、ポリエステル等の素材によって縫製されており、左右の前身頃２Ａ，２Ｂと後身頃３を備え、これらは、左右のショルダー部５ａ，５ｂ及び左右のウエスト部（連結部）６ａ，６ｂを介して一体化されている。そして、左右のショルダー部５ａ，５ｂと左右のウエスト部６ａ，６ｂとの間は、装着者の腕を通す開口７ａ，７ｂが形成されるとともに、左右の前身頃２Ａ，２Ｂの前面側中央には、両前身頃を連結するファスナ８が縫着されている。また、各前身頃２Ａ，２Ｂの表面には、ファスナ等によって開閉される複数のポケット９が縫着されている。そして、上記したように構成される本体１Ａ内には、適所に浮力材（図示せず）が組み込まれている。
【００１５】
また、図２に拡大して示されるように、前身頃２Ａ，２Ｂと後身頃３とを連結するウエスト部（連結部）６ａ，６ｂ又はその周辺には、前身頃２Ａ，２Ｂと後身頃３との間隔を調整可能な本発明の第１の実施形態に係るウエアサイズ調整機構１０が配設されている。なお、以下では、左前身頃２Ａと後身頃３とを左脇下で連結する左ウエスト部６ａに配設されるウエアサイズ調整機構１０について説明するが、右ウエスト部６ｂに配設されるウエアサイズ調整機構１０も同一構成を成す。この部分に配設されるウエアサイズ調整機構１０を操作することで前身頃２Ａと後身頃３との間隔調整が行なえるようになっている。なお、以下の説明では、左前身頃を、単に前身頃２Ａと称し、左ウエスト部を、単に連結部６ａと称する。
【００１６】
以下、ウエアサイズ調整機構１０の構成について説明する。  
図３に示されるように、ウエアサイズ調整機構１０は、衣服素材としての例えば連結部６ａに止着（縫着）される巻き取り器１２と、巻き取り器１２に巻き取られる例えば金属ワイヤにより形成される長尺部材１４と、巻き取り器１２の一方側（後身頃３側）で巻き取り器１２から所定の距離を隔てて衣服素材としての後身頃３（場合により連結部６ａであってもよい）に止着（縫着）される第１の保持部１６と、巻き取り器１２の他方側（前身頃２Ａ側）で巻き取り器１２から所定の距離を隔てて衣服素材としての前身頃２Ａ（場合により連結部６ａであってもよい）に止着（縫着）される第２の保持部１８とを備える。
【００１７】
この場合、後身頃３に止着される第１の保持部１６は、巻き取り器１２との間で長尺部材１４が掛け回されるように長尺部材１４を保持することにより、巻き取り器１２により巻き取られる長尺部材１４の牽引作用によって一方側（後身頃３側）から巻き取り器１２へ向けて引き寄せられる衣服素材３，６ａの第１の伸縮領域２０を規定する。また、前身頃２Ａに止着される第２の保持部１８は、第１の保持部１６に掛け回されて第１の伸縮領域２０から他方側（前身頃２Ａ側）へ延びる長尺部材１４を保持することにより、巻き取り器１２により巻き取られる長尺部材１４の牽引作用によって他方側（前身頃２Ａ側）から巻き取り器１２へ向けて引き寄せられる衣服素材２Ａ，６ａの第２の伸縮領域２２を規定する。
【００１８】
また、本実施形態において、第１の保持部１６は、巻き取り器１２に対する第１の保持部１６の離間方向（幅方向Ｘ）に対して略直交する方向（高さ方向Ｙ）に沿う巻き取り器１２の一方側（図３の上側）で長尺部材１４を巻き取り器１２との間で掛け回す第１の掛け回し領域２４を第１の伸縮領域２０内に規定する第１の保持部材１６ａと、高さ方向Ｙに沿う巻き取り器１２の他方側（図３の下側）で長尺部材１４を巻き取り器１２との間で掛け回す第２の掛け回し領域２６を第１の伸縮領域２０内に規定する第２の保持部材１６ｂとを有する。
【００１９】
なお、第１及び第２の保持部材１６ａ，１６ｂは、それらのそれぞれから（第１の伸縮領域２０から）第２の伸縮領域２２へ向けて延びる長尺部材１４の部位が互い略平行に無理なく延びることができるような位置に配設され、例えば略Ｃ形状に形成されて、その両端開口が第２の伸縮領域２２へ向けて開口していることが好ましい。
【００２０】
また、第２の保持部１８は、第１の保持部１６の第１及び第２の保持部材１６ａ，１６ｂから（第１の伸縮領域２０から）第２の伸縮領域２２へ向けて略平行に延びる長尺部材１４のそれぞれの部位をそのまま略平行に受けることができるように例えば調整機構１０の高さ寸法Ｌ（本実施形態では、第１の保持部材１６ａの上端と第２の保持部材１６ｂの下端との間の高さ寸法にほぼ等しい）のほぼ全長にわたって延びる例えば透明チューブ１８ａと、透明チューブ１８ａを外側から覆うようにして前身頃２Ａに縫着されることにより透明チューブ１８ａを前身頃２Ａに対して固定する生地１８ｂとにより構成され、長尺部材１４を透明チューブ１８ａに挿通させることにより保持する。すなわち、第２の保持部１８が位置するこの第２の伸縮領域２２では長尺部材１４が第２の保持部１８と巻き取り器１２との間で掛け回されない。
【００２１】
また、本実施形態において、長尺部材１４は、その両端が巻き取り器１２に取り付けられて前述したように第１及び第２の保持部１６，１８により保持されることによって第１及び第２の伸縮領域２０，２２にわたってループ状に延びる１本のワイヤにより形成される。すなわち、長尺部材１４は、巻き取り器１２の一方側（図３では上側）から延び出て第１の伸縮領域２０内の第１の掛け回し領域２４で第１の保持部材１６ａに掛け回された後、連結部６ａに止着される上側ガイド部材１７により幅方向Ｘと略平行に第２の伸縮領域２２へと案内されて、第２の伸縮領域２２に位置する第２の保持部１８の透明チューブ１８ａにその一端側から挿通され、その後、透明チューブ１８ａの他端側から抜け出て、連結部６ａに止着される下側ガイド部材１９により幅方向Ｘと略平行に第１の伸縮領域２０へと案内されるとともに、第１の伸縮領域２０内の第２の掛け回し領域２６で第２の保持部材１６ｂに掛け回された後、巻き取り器１２の他方側（図３では下側）へと至る。
【００２２】
また、このような長尺部材１４を巻き取る巻き取り器１２は、第１の掛け回し領域２４に位置する長尺部材１４と第２の掛け回し領域２６に位置する長尺部材１４とを同時に巻き取るようになっている。具体的に、本実施形態において、巻き取り器１２は、その操作部を操作することにより、１本のループ状に延びる長尺部材１４の両端側を同時に巻き取ることができる巻き取りロック位置と、ロック状態を解除して長尺部材１４の両端側を同時に繰り出すことができる解放位置との間で切り換え操作することができる。
【００２３】
したがって、以上のような構成を成すウエアサイズ調整機構１０では、巻き取り器１２の操作部を操作して巻き取り器１２を巻き取りロック位置に切り換えた後、巻き取り器１２を一方向に回転操作すると、長尺部材１４の両端側が巻き取り器１２内へと同時に巻き取られて、その巻き取りに伴う長尺部材１４の牽引作用により、衣服素材の第１の伸縮領域２０が一方側（後身頃３側）から巻き取り器１２へ向けて引き寄せられると同時に、衣服素材の第２の伸縮領域２２が他方側（前身頃２Ａ側）から巻き取り器１２へ向けて引き寄せられる。すなわち、連結部６ａの周囲の衣服素材が幅方向Ｘで収縮する。一方、前記操作部を操作して巻き取り器１２を解放位置に切り換えると、巻き取り器１２から長尺部材１４の両端側を同時に繰り出すことができ、衣服素材の第１及び第２の伸縮領域２０，２２を幅方向Ｘに引き伸ばすことができる（連結部６ａの周囲の衣服素材を幅方向で広げることができる）。
【００２４】
以上説明したように、本実施形態のウエアサイズ調整機構１０によれば、長尺部材１４が第１の保持部１６と巻き取り器１２との間で掛け回される第１の伸縮領域２０が巻き取り器１２の一方側に規定されるとともに、第１の保持部１６に掛け回されて第１の伸縮領域２０から延びる長尺部材１４を保持する第２の伸縮領域２２が巻き取り器１２の他方側に規定されるため、巻き取り器１２により巻き取られる長尺部材１４の牽引作用によって衣服素材を確実に伸縮させることができるとともに、巻き取り器１２の１回の操作で巻き取り器１２の両側の第１および第２の伸縮領域２０，２２の衣服素材を同時に引き寄せることができ、大きなサイズ調整幅を確保できる。
【００２５】
また、本実施形態のウエアサイズ調整機構１０によれば、長尺部材１４が第２の保持部１８と巻き取り器１２との間で掛け回されない第２の伸縮領域２２が規定されるため、この第２の伸縮領域２２では、前述したような動滑車の原理による掛け回しポイント両側での牽引長さの二分が生じず、したがって、第２の伸縮領域２２では、理論的に、衣服素材の引き寄せ量を第１の伸縮領域２０の倍にすることができる。すなわち、巻き取り器１２を回転させて例えば長尺部材１４の両端側をそれぞれ２ａの長さずつ巻き取り牽引すると、理論的には、第１及び第２の掛け回し領域２４，２６では第１及び第２の保持部材１６ａ，１６ｂ（掛け回しポイント）の両側で牽引長さが二分されるため、第１の伸縮領域２０は長さａの分しか収縮できないが、第２の伸縮領域２２は長さ２ａにわたって収縮できる。
【００２６】
また、図４を参照して、調整機構１０（図４（ａ）参照）のこの有利な原理を、第２の伸縮領域２２を有さない別の調整機構１００（図４（ｂ）参照）と別の観点から比べてみる。なお、図４では、便宜上、巻き取り器１２による長尺部材１４の巻き取り長さが第２の伸縮領域２２へ入り込むように示されているが、実際には、巻き取り器１２内に巻き取られる。図示のように、図４（ｂ）に示される調整機構１００では、調整機構１０の第２の保持部１８に相当する長尺部材１４の端部固定点Ｐが巻き取り器１２と高さ方向で一致しており、図４（ｂ）の下段に示される伸張状態から長尺部材１４を長さ４ａ分だけ巻き取ると、図４（ｂ）の上段に示されるように、動滑車の原理により第１の保持部１６は長さ２ａ分しか巻き取り器１２の方へ移動しない。これに対し、第２の保持部１８が第２の伸縮領域２２を規定する図４（ａ）に示される本実施形態の調整機構１０では、図４（ａ）の下段に示される伸張状態から長尺部材１４を長さ４ａ分だけ巻き取ると、図４（ａ）の上段に示されるように、動滑車の原理により第１の保持部１６は長さａ分しか巻き取り器１２の方へ移動しないものの、第２の保持部１８は長さ２ａにわたって巻き取り器１２の方へ移動する。
【００２７】
このように衣服素材の引き寄せ量を第２の伸縮領域２２で倍増させることができれば、調整機構１０全体として少ない調整操作で効率的に幅広く衣服サイズを調整できる。また、このように衣服のサイズを少ない調整操作で効率的に幅広く調整できれば、ウエアサイズ調整機構を限られた衣服のスペース内に可能な限りコンパクトに配設することもできる。なお、本構成では、巻き取り器１２の位置を図３の左側にずらして第２の伸縮領域２２の大きさを第１の伸縮領域２０の大きさよりも大きく確保すれば、サイズ調整効率が更に向上する。
【００２８】
図５には、第２の実施形態に係るウエアサイズ調整機構１０Ａが示される。図示のように、本実施形態では、第２の保持部１８の構成が第１の実施形態と異なる。すなわち、調整機構１０Ａの第２の保持部１８は、第１の実施形態の透明チューブ１８ａの上端及び下端に相当する部分となる保持ガイド部１８ｃ，１８ｃのみによって長尺部材１４を保持して案内する。なお、それ以外の構成は第１の実施形態と同一である。したがって、第１の実施形態と同様の作用効果が得られる。
【００２９】
図６には、第３の実施形態に係るウエアサイズ調整機構１０Ｂが示される。図示のように、本実施形態においても、第２の保持部１８の構成が第１の実施形態と異なる。すなわち、調整機構１０Ｂの第２の保持部１８は、第１の保持部材１６ａに掛け回されて第１の掛け回し領域２４から第２の伸縮領域２２へ延びる長尺部材１４を固定する第１の固定部材１８ｄと、第２の保持部材１６ｂに掛け回されて第２の掛け回し領域２６から第２の伸縮領域２２へ延びる長尺部材１４を固定する第２の固定部材１８ｅとを有する。この場合も、第１及び第２の固定部材１８ｄ，１８ｅは、第１の実施形態の透明チューブ１８ａの上端及び下端に相当する部分に位置される。したがって、本構成では、長尺部材１４が２つの部分１４ａ，１４ｂに分離され、１本のループ状のワイヤにはならない。なお、それ以外の構成は第１の実施形態と同一であり、したがって、第１の実施形態と同様の作用効果が得られる。
【００３０】
図７には、第４の実施形態に係るウエアサイズ調整機構１０Ｃが示される。図示のように、本実施形態においては、巻き取り器１２及び第２の保持部１８の構成が第１の実施形態と異なる。すなわち、本実施形態において、巻き取り器１２は、長尺部材１４を巻回するためのスプール及び前記操作部を有する本体１２ａと、長尺部材１４を受けて前記スプールの巻回部上へと案内する上下一対のガイド部１２ｂ，１２ｃとを有し、ガイド部１２ｂ，１２ｃはそれぞれ対応する第１及び第２の掛け回し領域２４，２６へ向けて開口する例えば略Ｌ字形状を成す。また、第２の保持部１８は、前述した第１の実施形態の透明チューブ１８ａと、該チューブ１８ａの両端に接続されて第１の保持部１６へ向けて開口するガイド部３０，３２とから形成される。なお、それ以外の構成は第１の実施形態と同一であり、したがって、第１の実施形態と同様の作用効果が得られる。
【００３１】
図８には、第５の実施形態に係るウエアサイズ調整機構１０Ｄが示される。図示のように、本実施形態でも、巻き取り器１２及び第２の保持部１８の構成が第１の実施形態と異なる。すなわち、本実施形態において、巻き取り器１２は第４の実施形態と同じ構成を成すが、第２の保持部１８は、前述した第１の実施形態の透明チューブ１８ａが高さ方向Ｙで二分されている（透明チューブ１８ａａ，１８ａｂ）。無論、透明チューブ１８ａが３つ以上に分離されていても構わない。これらの透明チューブ１８ａａ，１８ａｂは、第１の実施形態と同様、前身頃２Ａに縫着される生地１８ｂにより外側から一体で覆われることにより前身頃２Ａに対して固定される。なお、それ以外の構成は第１の実施形態と同一であり、したがって、第１の実施形態と同様の作用効果が得られる。
【００３２】
以上、本発明の実施形態について説明したが、本発明は、上記した実施形態に限定されることはなく、種々変形することが可能である。例えば、前述した実施形態では、ウエアサイズ調整機構１０が左右のウエスト部６ａ，６ｂに配設されているが、片方のウエスト部のみの調整機構１０が配設されていても構わない。また、調整機構１０の配設部位はウエスト部６ａ，６ｂに限定されず、例えば、左右の前身頃２Ａ，２Ｂ間の間隔を調整するために調整機構１０が使用されてもよい。この場合には、フローティングベスト１は、ファスナ８を有さない（前開きではない）かぶって脱ぎ着するタイプのものとなる。
【００３３】
また、調整機構１０の配設対象はフローティングベスト１に限定されず、様々な種類の衣服に本発明を適用できる。その場合、保持部１６，１８の数、第１の保持部１６の保持部材の数、第２の保持部１８の固定部材の数も限定されない。また、前述した実施形態では、長尺部材がワイヤであったが、その素材も特に限定されない。
【００３４】
また、前述した調整機構を反転して配設できることは言うまでもない。すなわち、第１の保持部１６が前身頃２Ａ側に配設されるとともに、第２の保持部１８が後身頃３側に配設されてもよい。
【符号の説明】
【００３５】
２Ａ，２Ｂ，３  衣服素材
１０，１０Ａ，１０Ｂ，１０Ｃ，１０Ｄ  ウエアサイズ調整機構
１２  巻き取り器
１４  長尺部材
１６  第１の保持部
１６ａ  第１の保持部材
１６ｂ  第２の保持部材
１８  第２の保持部
１８ｄ  第１の固定部材
１８ｅ  第２の固定部材
２０  第１の伸縮領域
２２  第２の伸縮領域
２４  第１の掛け回し領域
２６  第２の掛け回し領域
【図１】
0006674820.tif 000002
【図２】
0006674820.tif 000003
【図３】
0006674820.tif 000004
【図４】
0006674820.tif 000005
【図５】
0006674820.tif 000006
【図６】
0006674820.tif 000007
【図７】
0006674820.tif 000008
【図８】
0006674820.tif 000009